(57)【要約】【課題】  チャンネルスキャンにて出力される各チャンネルの放送内容を示す映像や音声が、出来るだけＣＭとならずに、番組本編となるようにすることができる「放送受信機及びチャンネルスキャン方法」を提供する。【解決手段】  スキャン先のチャンネルがＣＭ放送中である場合、そのチャンネルをスキップし、そのチャンネルは後に再度スキャンすると共に、スキャン先のチャンネルが番組本編を放送中である場合、そのチャンネルの映像や音声を出力することにより、スキャンされたチャンネルがＣＭ放送中であっても、そのチャンネルに対して自動的に再度スキャンを行うことができるようにし、ユーザが面倒な操作をする必要を無くすと共に、チャンネルスキャンにて出力される各チャンネルの放送内容が番組の本編である可能性が高くなるようにして、ユーザに対して各チャンネルの放送内容を直感的に判断させることができるようにする。【選択図】        図３
2005277790.tif 000002
【特許請求の範囲】
【請求項１】
選局したチャンネルでＣＭが放送されていることを検出するＣＭ検出部と、
前記ＣＭ検出部がＣＭの放送を検出したときに、ＣＭを放送しているチャンネルを識別する情報を記憶するチャンネルメモリと、
複数のチャンネルを所定の順番で一巡させて選局し、前記ＣＭ検出部がＣＭの放送を検出しなかったときに、そのチャンネルの放送内容を所定時間出力させ、前記ＣＭ検出部がＣＭの放送を検出したときに、前記ＣＭ放送中のチャンネルをスキップして次のチャンネルを選局し、スキップ後の所定のタイミングで前記チャンネルメモリに記憶されている情報によって特定されるチャンネルを再度選局する制御部とを備えことを特徴とする放送受信機。
【請求項２】
前記放送内容は映像であることを特徴とする請求項１に記載の放送受信機。
【請求項３】
前記放送内容は音声であることを特徴とする請求項１に記載の放送受信機。
【請求項４】
前記所定のタイミングは、前記複数のチャンネルを一巡して選局した後であることを特徴とする請求項１乃至請求項３の何れか一項に記載の放送受信機。
【請求項５】
前記所定のタイミングは、前記次のチャンネルを選局した後であることを特徴とする請求項１乃至請求項３の何れか一項に記載の放送受信機。
【請求項６】
前記ＣＭ検出部がＣＭの放送を検出しなかったときに、前記放送内容を出力するためにチャンネルを選局する第１のチューナと、
前記ＣＭ検出部がＣＭの放送を検出するためにチャンネルを選局する第２のチューナと、
を備える請求項１乃至請求項６の何れか一項に記載の放送受信機。
【請求項７】
複数のチャンネルを所定の順番で一巡させて選局するチャンネルスキャン方法であって、
前記所定の順番に従って選局すべきチャンネルを選局する第１のステップと、
前記第１のステップにて選局したチャンネルがＣＭを放送しているか否かを調べる第２のステップと、
前記第２のステップにて、前記第１のステップにて選局したチャンネルがＣＭを放送していると判断したときには、ＣＭを放送しているチャンネルを識別するための情報をチャンネルメモリに記憶する第３のステップと、
前記第２のステップにて、前記第１のステップにて選局したチャンネルがＣＭを放送していないと判断したときには、そのチャンネルの放送内容を所定時間出力する第４のステップとを有し、
前記複数のチャンネルを一巡させて選局するまで前記第１のステップ乃至第４のステップの処理を繰り返し行い、前記複数のチャンネルを一巡させて選局した後に、前記チャンネルメモリに記憶された情報によって特定されるチャンネルを再度選局し、ＣＭを放送しているか否かを調べる第５のステップと、
前記第５のステップにて、前記チャンネルメモリに記憶された情報によって特定されるチャンネルがＣＭを放送していないと判断したときには、そのチャンネルの放送内容を所定時間出力する第６のステップとを更に有するチャンネルスキャン方法。
【請求項８】
複数のチャンネルを所定の順番で一巡させて選局するチャンネルスキャン方法であって、
前記所定の順番に従って選局すべきチャンネルを選局する第１のステップと、
前記第１のステップにて選局したチャンネルがＣＭを放送しているか否かを調べる第２のステップと、
前記第２のステップにて、前記第１のステップにて選局したチャンネルがＣＭを放送していると判断したときには、ＣＭを放送しているチャンネルを識別するための情報をチャンネルメモリに記憶し、次のチャンネルを選局する第３のステップと、
前記第２のステップにて、前記第１のステップにて選局したチャンネルがＣＭを放送していないと判断したときには、そのチャンネルの放送内容を所定時間出力する第４のステップと、
前記第３のステップにて、前記チャンネルメモリに記憶された情報によって特定されるチャンネルを、前記第４のステップで放送内容を所定時間出力した後で再度選局し、ＣＭを放送しているか否かを調べる第５のステップと、
前記第５のステップにて、前記チャンネルメモリに記憶された情報によって特定されるチャンネルがＣＭを放送していないと判断したときには、そのチャンネルの放送内容を所定時間出力する第６のステップと、
を備えるチャンネルスキャン方法。
【発明の詳細な説明】
【技術分野】
【０００１】
本発明は、テレビ放送やラジオ放送等を受信し、現在各チャンネルで放送されている番組の内容を順次出力する機能を備えた放送受信機及びチャンネルスキャン方法に関するものである。
【背景技術】
【０００２】
従来、テレビ放送やラジオ放送等を受信する放送受信機として、現在どのような番組が視聴できるかを検索できるようにするチャンネルスキャンと呼ばれる機能を備えるものがある。チャンネルスキャンは、テレビ放送を受信する場合には、テレビチューナの選局状態を、現在画面に表示されている番組を放送しているチャンネルから他のチャンネルに順次変更して、各チャンネルで放送されている番組を所定時間ずつ表示するものである。また、チャンネルスキャンは、ラジオ放送を受信する場合には、ラジオチューナの選局状態を、現在音声が出力されている番組を放送しているチャンネルから他のチャンネルに順次変更して、各チャンネルで放送されている番組の音声を所定時間ずつ出力するものである。
【０００３】
ところで、テレビ放送では、番組と番組の間や番組の途中にＣＭが放送される場合がある。このような場合にチャンネルスキャンを行うと、変更した先のチャンネルでＣＭを放送していることがある。この場合、画面上にはＣＭが表示されるので、ユーザは、どのような番組が視聴できるかを把握し難くなってしまうという問題があった。
【０００４】
変更した先のチャンネルでＣＭを放送している場合、ユーザは、チャンネルスキャンを再度行ったり、ＣＭを放送していたチャンネルに切り換えたりすることで、そのチャンネルでどのような番組が放送されているかを確認することができる。しかし、この場合は余分な操作が必要となり、ユーザにとって面倒になってしまうという問題があった。
【０００５】
なお、番組と番組の間や番組の途中にＣＭが放送される場合、例えば現在視聴しているチャンネルから他のチャンネルに切り換えたとき、そのチャンネルがＣＭを放送していると、ユーザは、そのチャンネルでどのような番組が放送されているのかを知ることができない。そこで、ユーザが選択したチャンネルがＣＭを放送しているときに、自動的に番組情報を表示する技術が提案されている（例えば特許文献１参照）。
【特許文献１】特開２００２−５７９５６号公報
【０００６】
しかしながら、この特許文献１の技術をチャンネルスキャンに適用した場合、ＣＭを放送しているチャンネルで放送されている番組の情報を表示することはできるが、ユーザに対してどのような番組が放送されているかを映像や音声により直感的に判断させることはできない。従って、チャンネルスキャンを行った場合、変更した先のチャンネルでＣＭを放送しているときに、変更した先のチャンネルでどのような番組が視聴できるかを把握し難くなってしまうという問題があった。
【発明の開示】
【発明が解決しようとする課題】
【０００７】
本発明は、このような問題を解決するために成されたものであり、チャンネルスキャンを行う際に出力される各チャンネルの放送内容を示す映像や音声が、出来るだけＣＭとならずに、番組の本編となるようにする放送受信機及びチャンネルスキャン方法を提供することを目的とする。
【課題を解決するための手段】
【０００８】
上記した課題を解決するために、本発明では、チャンネルスキャンをする際に、スキャン先のチャンネルがＣＭ放送中であるか否かを検出し、ＣＭ放送中でないときには、そのチャンネルの放送内容を示す映像や音声を所定時間に渡って出力し、ＣＭ放送中であるときには、そのチャンネルを識別するための情報をチャンネルメモリに記憶し、次にスキャンすべきチャンネルのスキャンを行うようにする。そして、所定のタイミング、例えば全てのチャンネルをスキャンした後にチャンネルメモリに記憶されている情報によって特定されるチャンネルを再度スキャンするようにしている。
【発明の効果】
【０００９】
上記のように構成した本発明によれば、チャンネルスキャンによりスキャンされたチャンネルがＣＭ放送中である場合でも、そのチャンネルに対して自動的に再度スキャンを行うことができる。従って、ユーザは、チャンネルスキャンを再度行ったり、チャンネルスキャンの際にＣＭを放送していたチャンネルを別途選局したりすることによる面倒な確認作業をする必要が無くなる。また、チャンネルスキャンを行う際に出力される各チャンネルの放送内容を示す映像や音声が、番組の本編である可能性が高くなるので、ユーザに対してどのような番組が放送されているかを直感的に判断させることができる。
【発明を実施するための最良の形態】
【００１０】
（第１の実施形態）
以下、本発明による第1の実施形態を図面に基づいて説明する。図１は、第1の実施形態による放送受信機の構成例を示すブロック図である。図１において、１は受信アンテナであり、送信設備から送られる電波、例えばディジタルテレビ放送の電波を受信する。２は第1のチューナであり、３は第２のチューナである。受信アンテナ１で受信された放送の電波は分配され、これらの第１のチューナ２及び第２のチューナ３に供給される。第１のチューナ２及び第２のチューナ３では、受信した放送の電波から、選択したチャンネルに合致した受信周波数の信号を選択的に抽出して出力する。
【００１１】
４は操作部であり、ユーザが所望のチャンネルを選局したり、チャンネルスキャンモードに移行したりする操作を行うものである。５は制御部であり、操作部４によって選局操作されたチャンネルを選局する選局制御信号を生成し、第１のチューナ２へ出力する。
【００１２】
また、制御部５は、操作部４によってチャンネルスキャンモードに移行するチャンネルスキャンキーが操作されたときには、複数のチャンネルを所定の順番で一巡させてスキャンを行うチャンネルスキャン制御信号を生成する。そして、制御部５では、チャンネルスキャン制御信号に基づいて、チャンネルを選局する選局制御信号を各チャンネル毎に生成し第２のチューナ３へ出力する。第２のチューナ３では、制御部５から選局制御信号を入力して、この選局制御信号に基づいてチャンネルのスキャンを行う。ここで、第２のチューナ３における選局をスキャンと呼んでいる。
【００１３】
また、制御部５は、第２のチューナ３においてスキャンしたチャンネルがＣＭ放送中であった場合には、前述した所定の順番に従って、次のチャンネルをスキャンするための選局制御信号を第２のチューナ３へ出力する。第２のチューナ３では、制御部５から選局制御信号を入力して、この選局制御信号に基づいて次のチャンネルのスキャンを行う。
【００１４】
また、制御部５は、第２のチューナ３においてスキャンしたチャンネルがＣＭ放送中でなかった場合には（本編を放送中）、第１の所定時間（例えば１０秒）毎に、ＣＭではなく本編を放送中のチャンネルに関する選局制御信号を第１のチューナ２に出力する。ここで、第２のチューナ３におけるチャンネルのスキャンは本編を放送中のチャンネルが見つかるまで継続されるので、第１のチューナ２に対して本編を放送中のチャンネルを選局するための選局制御信号が出力された時間から、第１の所定時間よりも短い第２の所定時間（例えば８秒）が経過した後に、第２のチューナ３に対して前述した本編を放送中のチャンネルの次に選局すべきチャンネルを選局するための選局制御信号が出力される。
【００１５】
６は第１の復調部であり、第１のチューナ２より入力した信号を復調して受信データを得る。７は第１のデータ分離部であり、第1の復調部６より入力した受信データをオーディオデータ、ビデオデータ、番組データに分離する。ここで、番組データは、番組情報を示す画像を生成するために使用される。
【００１６】
８はオーディオデコード部であり、第1のデータ分離部７によって分離されたオーディオデータをデコードする。９は音声処理部であり、オーディデータデコード部８によってデコードされたオーディオデータより音声を生成する。１０はスピーカであり、音声処理部９によって生成された音声を外部に出力する。
【００１７】
１１はビデオデータデコード部であり、第1のデータ分離部７によって分離されたビデオデータをデコードする。１２は画像形成部であり、ビデオデータデコード部１１によってデコードされたビデオデータより画像を形成する。１３は画像表示部であり、画像形成部１２によって形成された画像を表示する。
【００１８】
１４は第２の復調部であり、第２のチューナ３より入力した信号を復調して受信データを得る。１５は第２のデータ分離部であり、第２の復調部１４より入力した受信データをオーディオデータ、ビデオデータ、番組データに分離する。ここで、本実施形態では、番組データのみを使用する。
【００１９】
１６はＣＭ検出部であり、制御部５によって制御され、第２のデータ分離部１５によって分離された番組データに付加されているＣＭフラグやＣＭ放送を示す文字列、ＣＭ放送を示すファイル名等により、受信データによる放送内容がＣＭであるか否かを検出する。１７はチャンネルメモリであり、ＣＭ検出部１６にて受信データによる放送内容がＣＭであることを検出したときに、制御部５によって、ＣＭを放送しているチャンネルを識別する情報を記憶する。
【００２０】
ここで、操作部４によってチャンネルスキャンモードに移行するチャンネルスキャンキーが操作されたときには、制御部５では、チャンネルスキャン制御信号を生成し、このチャンネルスキャン制御信号に基づいて、複数のチャンネルを所定の順番で一巡させてスキャンを行う。
【００２１】
このスキャンにおいて、制御部５では、最初にスキャンすべきチャンネルを選局するための選局制御信号を第２のチューナ３に出力する。この選局制御信号に基づき第２のチューナ３においてスキャンした先のチャンネルがＣＭ放送中であることをＣＭ検出部１６により検出したときには、制御部５は、そのチャンネルを識別するための情報をチャンネルメモリ１７に記憶する。
【００２２】
一方、スキャンした先のチャンネルがＣＭ放送中であることをＣＭ検出部１６により検出しなかったときには、制御部５は、スキャンした先のチャンネルが番組の本編を放送中であると判断し、そのチャンネルを選局するための選局制御信号を第１のチューナ２に出力する。
【００２３】
第１のチューナ２では、制御部５から選局制御信号を入力し、それに応じたチャンネルを選局して放送の電波の受信を行う。そして、そのチャンネルの放送内容を示す音声をスピーカ１０より出力し、そのチャンネルの放送内容を示す映像を画像表示部１３に表示する。
【００２４】
この状態が継続される第１の所定時間、例えば１０秒間を経過するまでには、第１のチューナ２において選局する本編放送中である次のチャンネルを決定しなければならない。従って、１０秒間を経過するよりも前に、チャンネルスキャン制御信号に基づいて、第２のチューナ３に対して次のチャンネルのスキャンを行い、次のチャンネルがＣＭ放送中であるか否かを前もって判断する。
【００２５】
このとき、第２のチューナ３においてスキャンした次のチャンネルがＣＭ放送中であることをＣＭ検出部１６により検出したときには、そのチャンネルを識別するための情報をチャンネルメモリ１７に記憶する。そして、更に次のチャンネルのスキャンを行い、それがＣＭ放送中か否かを判断する。この間、第１のチューナ２では、前に選択されていた本編を放送中のチャンネルの音声及び映像を継続して出力する。
【００２６】
一方、スキャンした次のチャンネルがＣＭ放送中であることをＣＭ検出部１６により検出しなかったときには、制御部５は、スキャンした次のチャンネルが番組の本編を放送中であると判断し、前のチャンネルの選択開始から第１の所定時間（例えば１０秒間）を経過したタイミングで、そのチャンネルを選局するための選局制御信号を第１のチューナ２に出力する。
【００２７】
第１のチューナ２では、制御部５から選局制御信号を入力し、それに応じたチャンネルを選局して放送の電波の受信を行う。そして、そのチャンネルの放送内容を示す音声をスピーカ１０より出力し、そのチャンネルの放送内容を示す映像を画像表示部１３に表示する。
【００２８】
そして、制御部５は、第２のチューナ３において、チャンネルスキャン制御信号によりスキャンすべきチャンネルを一巡したか否かを調べる。一巡したときには、チャンネルメモリ１７に記憶されている情報に基づいて、スキャンしたときにＣＭ放送中だったチャンネルがあるか否かを調べる。そして、ＣＭ放送中だったチャンネルがあるときには、第２のチューナ３においてそのチャンネルのスキャンを再度行う。ここで、ＣＭ放送中だったチャンネルが複数あるときには、第２のチューナ３においてＣＭ放送中だった全てのチャンネルのスキャンを再度行う。
【００２９】
ＣＭ放送中だったチャンネルのスキャンを再度行っても、依然としてＣＭ放送中である場合には、そのチャンネルのスキャンが何度も繰り返されてしまう。そこで、チャンネルの再スキャンは一回のみ行うようにしている。また、ＣＭ放送中だったチャンネルが複数あるときには、ＣＭ放送中だった全てのチャンネルの再スキャンを一回のみ行うようにしている。
【００３０】
図２は、第1の実施形態による放送受信機の動作及びチャンネルスキャン方法を示すフローチャートである。まず、操作部４によってチャンネルスキャンキーが操作されると、チャンネルスキャンモードが開始される。このチャンネルスキャンモードが開始されると、現在、第１のチューナ２によって受信した信号によりスピーカ１０及び画像表示部１３に出力されている放送内容をそのままの状態として、第２のチューナ３を使用してバックグランドでチャンネルのスキャンが行われる。
【００３１】
すなわち、制御部５では、チャンネルスキャン制御信号を生成し、このチャンネルスキャン制御信号に基づいて、複数のチャンネルを所定の順番で一巡させてスキャンを行う。制御部５では、最初にスキャンすべきチャンネルを選局するための選局制御信号を第２のチューナ３に出力する。第２のチューナ３では、入力した選局制御信号に基づいてチャンネルのスキャンを行う（ステップＳ１）。
【００３２】
そして、スキャン先のチャンネルがＣＭ放送中であるか否かを調べる（ステップＳ２）。具体的には、第２の復調部１４では、第２のチューナ３より入力した信号を復調して受信データを得て第２のデータ分離部１５に出力する。第２のデータ分離部１５では、第２の復調部１４より入力した受信データをオーディオデータ、ビデオデータ、番組データに分離する。そして、第２のデータ分離部１５で分離された番組データに付加されているＣＭフラグ等により、スキャンした先のチャンネルがＣＭ放送中であるか否かを調べる。
【００３３】
スキャン先のチャンネルがＣＭ放送中である場合には（ステップＳ２にてＹＥＳ）、そのチャンネルを識別するための情報をチャンネルメモリ１７に記憶する（ステップＳ３）。一方、スキャン先のチャンネルがＣＭ放送中ではない場合には（ステップ２にてＮＯ）、制御部５は、スキャン先のチャンネルが最初にスキャンしたチャンネルであるか否かを調べる（ステップＳ４）。
【００３４】
スキャン先のチャンネルが最初にスキャンしたチャンネルであると判断されたときには（ステップＳ４にてＹＥＳ）、そのチャンネルでは、番組の本編を放送中であるから、制御部５は、そのチャンネルを選局するための選局制御信号を生成して第１のチューナ２に出力する。第１のチューナ２では、入力した選局制御信号に基づいて選局が行われる（ステップＳ６）。
【００３５】
一方、スキャン先のチャンネルが最初にスキャンしたチャンネルではないと判断されたときには（ステップＳ４にてＮＯ）、第１のチューナ２において、第２のチューナ３でスキャンした結果により制御部５から入力した選局制御信号に基づく選局が行われてから第１の所定時間（例えば１０秒）が経過したか否かを調べる（ステップＳ５）。
【００３６】
第１の所定時間が経過していないと判断された場合には（ステップＳ５にてＮＯ）、ステップＳ５の処理を繰り返し、第１の所定時間が経過したと判断された場合には、制御部５は、第２のチューナ３にてスキャンしたチャンネルを選局するための選局制御信号を生成して第１のチューナ２に出力する。第１のチューナ２では、入力した選局制御信号に基づいて選局が行われる（ステップＳ６）。
【００３７】
そして、制御部５では、第２のチューナ３にてスキャンしたチャンネルを選局するための選局制御信号に基づいて第１のチューナ２で選局が行われてから第２の所定時間（例えば８秒）が経過したか否かを調べる（ステップＳ７）。第２の所定時間が経過していない場合には（ステップＳ７にてＮＯ）、ステップＳ７の処理を繰り返す。
【００３８】
一方、第２の所定時間が経過した場合には（ステップＳ７にてＹＥＳ）、制御部５は、第２のチューナ３においてスキャンすべき各チャンネルに対するスキャンが一巡したか否かを調べる（ステップＳ８）。スキャンが一巡していない場合には（ステップＳ８にてＮＯ）、第２のチューナ３にて次にスキャンすべきチャンネルに移行する（ステップＳ９）。そして、ステップＳ１の処理に戻る。
【００３９】
一方、第２のチューナ３においてスキャンが一巡した場合には（ステップＳ８にてＹＥＳ）、制御部５は、チャンネルメモリ１７に記憶されている全てのチャンネルに対して二回目のスキャンを行ったか否かを調べる（ステップＳ１０）。ここで、チャンネルメモリ１７に記憶されているチャンネルは、一回目のスキャン時にＣＭ放送中だったチャンネルである。
【００４０】
チャンネルメモリ１７に記憶されている全てのチャンネルに対して二回目のスキャンを行った場合には（ステップＳ１０にてＹＥＳ）、チャンネルスキャンモードを終了する。一方、チャンネルメモリ１７に記憶されている全てのチャンネルに対して二回目のスキャンを行っていない場合には（ステップＳ１０にてＮＯ）、制御部５は、第２のチューナ３にてチャンネルメモリ１７に記憶されている次にスキャンすべきチャンネルに移行する（ステップＳ１１）。そして、ステップＳ１の処理に戻る。ここで、チャンネルメモリ１７に記憶されているチャンネルをスキャンする順番は、チャンネルスキャン制御信号により設定された所定の順番に従っている。
【００４１】
次に、第1の実施形態によるチャンネルスキャンの具体例を図面に基づいて説明する。図３は、第１の実施形態によるチャンネルスキャンの例を示す図である。図３において、本実施形態によるチャンネルスキャンモードでは、第２のチューナ３にてＣｈ＿Ａ、Ｃｈ＿Ｂ、Ｃｈ＿Ｃ、Ｃｈ＿Ｄ、Ｃｈ＿Ｅの順番でチャンネルがスキャンされる。また、チャンネルスキャンモードを開始したときにユーザに視聴されているチャンネルはＣｈ＿Ｅである。
【００４２】
チャンネルスキャンモードが開始されると、第１のチューナ２を使用してＣｈ＿Ｅの放送内容を示す音声及び映像がスピーカ１０及び画像表示部１３に出力されている状態で、第２のチューナ３を使用してバックグランドでＣｈ＿Ａのスキャンが行われる。Ｃｈ＿Ａでは番組の本編を放送中であるから、制御部５は、Ｃｈ＿Ａを選局するための選局制御信号を第１のチューナ２に出力する。第１のチューナ２では、入力した選局制御信号に基づいてＣｈ＿Ａの選局を行い、Ｃｈ＿Ａの放送内容を示す音声及び映像がスピーカ１０及び画像表示部１３に出力される。ここで、Ｃｈ＿Ａの放送内容を示す音声及び映像は、続いてスキャンされる他のチャンネルで番組の本編を放送中であることを制御部５が検出し、そのチャンネルの放送内容を示す音声及び映像が出力されるまでの第１の所定時間（例えば１０秒）に渡って出力される。
【００４３】
制御部５は、Ｃｈ＿Ａの放送内容を示す音声及び映像が出力されて第１の所定時間が経過する前の第２の所定時間（例えば８秒）が経過した時点で、Ｃｈ＿Ｂのスキャンを行う。Ｃｈ＿ＢではＣＭ放送中であるから、Ｃｈ＿Ｂを示す識別情報をチャンネルメモリ１７に記憶して、Ｃｈ＿Ｃのスキャンを行う。
【００４４】
Ｃｈ＿Ｂと同様にＣｈ＿ＣでもＣＭ放送中であるから、Ｃｈ＿Ｃを示す識別情報をチャンネルメモリ１７に記憶して、Ｃｈ＿Ｄのスキャンを行う。Ｃｈ＿Ｄでは、番組の本編を放送中であるから、制御部５は、Ｃｈ＿Ａが選局されてから第１の所定時間が経過したタイミングで、Ｃｈ＿Ｄを選局するための選局制御信号を第１のチューナ２に出力する。第１のチューナ２では、入力した選局制御信号に基づいてＣｈ＿Ｄの選局を行い、Ｃｈ＿Ｄの放送内容を示す音声及び映像がスピーカ１０及び画像表示部１３に出力される。
【００４５】
ここで、Ｃｈ＿Ａの放送内容を示す音声及び映像が出力されてからＣｈ＿Ｄの放送内容を示す音声及び映像が出力されるまでの時間は第１の所定時間（例えば１０秒）であるから、その間にＣｈ＿Ｂ〜Ｃｈ＿Ｄのスキャンが行われなければならない。ただし、Ｃｈ＿Ａの放送内容を示す音声及び映像が出力されてからすぐにＣｈ＿Ｂのスキャンを開始してしまうと、Ｃｈ＿Ｂをスキャンした時にＣＭを放送中であってもＣｈ＿Ａの放送内容を示す音声及び映像を所定時間に渡って出力している間に番組の本編の放送に切り替わる可能性がある。従って、次のチャンネルをスキャンするタイミングは、放送内容を示す音声及び映像を出力している第１の所定時間が経過する直前である第２の所定時間が経過した後であることが好ましい。例えば、放送内容を示す音声及び映像を出力している第１の所定時間が１０秒間である場合には、次のチャンネルをスキャンするタイミングである第２の所定時間、例えば８秒程度経過した後であることが好ましい。
【００４６】
そして、制御部５は、Ｃｈ＿Ｄの放送内容を示す音声及び映像が出力されて第１の所定時間が経過する前の第２の所定時間が経過した時点で、Ｃｈ＿Ｅのスキャンを行う。Ｃｈ＿Ｅでは、番組の本編を放送中であるから、制御部５は、Ｃｈ＿Ｅを選局するための選局制御信号を第１のチューナ２に出力する。第１のチューナ２では、入力した選局制御信号に基づいてＣｈ＿Ｅの選局を行い、Ｃｈ＿Ｅの放送内容を示す音声及び映像がスピーカ１０及び画像表示部１３に出力される。
【００４７】
Ｃｈ＿Ｅまでスキャンを行うことで、スキャンすべきチャンネルは一巡したことになるので、次に、チャンネルメモリ１７に記憶されている情報に基づいて二回目にスキャンすべきチャンネルがあるか否かを調べる。チャンネルメモリ１７にはＣｈ＿Ｂ及びＣｈ＿Ｃを示す識別情報が記憶されているので、その識別情報に基づいて、Ｃｈ＿Ｂ及びＣｈ＿Ｃのスキャンを再度行う。まず、制御部５は、第２のチューナ３を使用してＣｈ＿Ｂのスキャンを行う。Ｃｈ＿Ｂでは、ＣＭの放送が終わって番組の本編を放送中であるから、制御部５は、Ｃｈ＿Ｂを選局するための選局制御信号を第１のチューナ２に出力する。第１のチューナ２では、入力した選局制御信号に基づいてＣｈ＿Ｂの選局を行い、Ｃｈ＿Ｂの放送内容を示す音声及び映像がスピーカ１０及び画像表示部１３に出力される。
【００４８】
そして、制御部５は、Ｃｈ＿Ｂの放送内容を示す音声及び映像が出力されて第１の所定時間が経過する前の第２の所定時間が経過した時点で、第２のチューナ３を使用してＣｈ＿Ｃのスキャンを行う。Ｃｈ＿Ｃでは、ＣＭの放送が終わって番組の本編を放送中であるから、制御部５は、Ｃｈ＿Ｃを選局するための選局制御信号を第１のチューナ２に出力する。第１のチューナ２では、入力した選局制御信号に基づいてＣｈ＿Ｃの選局を行い、Ｃｈ＿Ｃの放送内容を示す音声及び映像がスピーカ１０及び画像表示部１３に出力される。
【００４９】
ここで、チャンネルメモリ１７に記憶されている全てのチャンネルに対して二回目のスキャンを行った場合には、チャンネルスキャンモードを終了する。
【００５０】
以上詳しく説明したように、第１の実施形態によれば、チャンネルスキャンをする際に、スキャン先のチャンネルがＣＭ放送中である場合、そのチャンネルをスキップして選局を行い、スキップしたチャンネルは後のタイミングで再度スキャンを行うので、ＣＭ放送中だったチャンネルはスキャンすべきチャンネルが全てスキャンされた後に自動的に再度スキャンを行うことができる。従って、ユーザは、チャンネルスキャンの操作を再度行ったり、チャンネルスキャンが終了した後にＣＭ放送中だったチャンネルを選局して再度確認したりすることなしに、各チャンネルでどのような番組が放送されているかを確認することができる。また、チャンネルスキャンを行った際に、本編の映像や音声が出力されるので、ユーザに対して各チャンネルでどのような番組が放送されているかを直感的に判断させることができる。また、チャンネルスキャンをする際に、第２のチューナ３を使用してバックグランドで各チャンネルのスキャンを行ってから、番組の本編を放送中のチャンネルについてのみ、第１のチューナ２を使用して映像及び音声を出力するようにしているので、ＣＭ放送を示す映像や音声が出力されなくなる。
【００５１】
（第２の実施形態）
以下、本発明による第２の実施形態を図面に基づいて説明する。図４は、第２の実施形態による放送受信機の構成例を示すブロック図である。なお、図１と同一の構成要素については同じ符号を付し、説明を一部省略する。図４において、２１はチューナであり、受信アンテナ１で受信した放送の電波から、選択したチャンネルに合致した受信周波数の信号を選択的に抽出して出力する。
【００５２】
２２は制御部であり、操作部４によって選局操作されたチャンネルを選局する選局制御信号を生成し、チューナ２１へ出力する。また、制御部２２は、操作部４によってチャンネルスキャンモードに移行するチャンネルスキャンキーが操作されたときには、複数のチャンネルを所定の順番で一巡させてスキャンを行うチャンネルスキャン制御信号を生成する。そして、制御部２２では、チャンネルスキャン制御信号に基づいて、チャンネルを選局する選局制御信号を各チャンネル毎に生成しチューナ２１へ出力する。チューナ２１では、制御部２２から選局制御信号を入力して、この選局制御信号に基づいてチャンネルのスキャンを行う。
【００５３】
また、制御部２２は、チューナ２１においてスキャンしたチャンネルがＣＭ放送中であった場合には、前述した所定の順番に従って、次のチャンネルをスキャンするための選局制御信号をチューナ２１へ出力する。チューナ２１では、制御部２２から選局制御信号を入力して、この選局制御信号に基づいて次のチャンネルのスキャンを行う。
【００５４】
また、制御部２２は、チューナ２１においてスキャンしたチャンネルがＣＭ放送中でなかった場合には（本編を放送中）、第１の所定時間（例えば１０秒）毎に、ＣＭではなく本編を放送中のチャンネルに関する選局制御信号をチューナ２１に出力する。
【００５５】
２３は復調部であり、チューナ２１より入力した信号を復調して受信データを得る。２４はデータ分離部であり、復調部２３より入力した受信データをオーディオデータ、ビデオデータ、番組データに分離する。
【００５６】
２５はＣＭ検出部であり、制御部２２によって制御され、データ分離部２４によって分離された番組データに付加されているＣＭフラグやＣＭ放送を示す文字列、ＣＭ放送を示すファイル名等により、受信データによる放送内容がＣＭであるか否かを検出する。２６はチャンネルメモリであり、ＣＭ検出部２５にて受信データによる放送内容がＣＭであることを検出したときに、制御部２２によって、ＣＭを放送しているチャンネルを識別する情報を記憶する。
【００５７】
ここで、操作部４によってチャンネルスキャンモードに移行するチャンネルスキャンキーが操作されたときには、制御部２２では、チャンネルスキャン制御信号を生成し、このチャンネルスキャン制御信号に基づいて、複数のチャンネルを所定の順番で一巡させてスキャンを行う。
【００５８】
このスキャンにおいて、制御部２２では、最初にスキャンすべきチャンネルを選局するための選局制御信号をチューナ２１に出力する。この選局制御信号に基づきチューナ２１においてスキャンした先のチャンネルがＣＭ放送中であることをＣＭ検出部２５により検出しなかったときには、制御部２２は、スキャンした先のチャンネルが番組の本編を放送中であると判断し、そのチャンネルの放送内容を示す音声をスピーカ１０より出力させ、そのチャンネルの放送内容を示す映像を画像表示部１３に出力させる。
【００５９】
制御部２２は、この状態が継続される第１の所定時間、例えば１０秒間を経過した時点でチャンネルスキャン制御信号に基づいて、次のチャンネルのスキャンを行う。
【００６０】
一方、スキャンした先のチャンネルがＣＭ放送中であることをＣＭ検出部２５により検出したときには、制御部２２は、そのチャンネルを識別するための情報をチャンネルメモリ２６に記憶する。そして、そのチャンネルの放送内容（ＣＭ放送）を示す音声をスピーカ１０より出力させ、そのチャンネルの放送内容（ＣＭ放送）を示す映像を画像表示部１３に出力させる。
【００６１】
ここで、ＣＭ放送を示す音声及び映像は出来るだけ出力されない方が良いので、制御部２２は、すぐにチャンネルスキャン制御信号に基づいて、次のチャンネルのスキャンを行う。
【００６２】
そして、制御部２２は、チューナ２１において、チャンネルスキャン制御信号によりスキャンすべきチャンネルを一巡したか否かを調べる。一巡したときには、チャンネルメモリ２６に記憶されている情報に基づいて、スキャンしたときにＣＭ放送中だったチャンネルがあるか否かを調べる。そして、ＣＭ放送中だったチャンネルがあるときには、そのチャンネルのスキャンを再度行う。ここで、ＣＭ放送中だったチャンネルが複数あるときには、ＣＭ放送中だった全てのチャンネルのスキャンを再度行う。
【００６３】
ＣＭ放送中だったチャンネルのスキャンを再度行っても、依然としてＣＭ放送中である場合には、そのチャンネルのスキャンが何度も繰り返されてしまう。そこで、チャンネルの再スキャンは一回のみ行うようにしている。また、ＣＭ放送中だったチャンネルが複数あるときには、ＣＭ放送中だった全てのチャンネルの再スキャンを一回のみ行うようにしている。
【００６４】
図５は、第２の実施形態による放送受信機の動作及びチャンネルスキャン方法を示すフローチャートである。まず、操作部４によってチャンネルスキャンキーが操作されると、チャンネルスキャンモードが開始される。
【００６５】
制御部２２では、チャンネルスキャン制御信号を生成し、このチャンネルスキャン制御信号に基づいて、複数のチャンネルを所定の順番で一巡させてスキャンを行う。制御部２２では、最初にスキャンすべきチャンネルを選局するために、選局制御信号をチューナ２１に出力する。チューナ２１では、入力した選局制御信号に基づいてチャンネルのスキャンを行う（ステップＳ２１）。チューナ２１では、入力した選局制御信号に基づいて選局が行われ、そのチャンネルの放送内容を示す音声及び映像が出力される（ステップＳ２２）。
【００６６】
制御部２２では、スキャン先のチャンネルがＣＭ放送中であるか否かを調べる（ステップＳ２３）。具体的には、復調部２３では、チューナ２１より入力した信号を復調して受信データを得てデータ分離部２４に出力する。データ分離部２４では、復調部２３より入力した受信データをオーディオデータ、ビデオデータ、番組データに分離する。そして、データ分離部２４で分離された番組データに付加されているＣＭフラグ等により、スキャンした先のチャンネルがＣＭ放送中であるか否かを調べる。
【００６７】
スキャン先のチャンネルがＣＭ放送中ではない場合には（ステップＳ２３にてＮＯ）、番組の本編を放送中であるから、制御部２２は、そのチャンネルのスキャンが行われてから第１の所定時間（例えば１０秒）が経過したか否かを調べる（ステップＳ２４）。第１の所定時間が経過しない場合には（ステップＳ２４にてＮＯ）、ステップＳ２４の処理を繰り返す。また、第１の所定時間が経過した場合には（ステップＳ２４にてＹＥＳ）、次のステップＳ２６に移行する。
【００６８】
一方、スキャン先のチャンネルがＣＭ放送中である場合には（ステップＳ２３にてＹＥＳ）、そのチャンネルを識別するための情報をチャンネルメモリ２６に記憶する（ステップＳ２５）。そして、次のステップＳ２６に移行する。
【００６９】
ここで、ステップＳ２３においてスキャン先のチャンネルがＣＭ放送中である場合には（ステップＳ２３にてＹＥＳ）、そのチャンネルを識別する情報をチャンネルメモリ２６に記憶してからすぐにステップＳ２６の処理が行われるが、スキャン先のチャンネルがＣＭ放送中ではない場合には（ステップＳ２３にてＮＯ）、そのチャンネルの放送内容を示す音声及び映像を第１の所定時間に渡って出力させてからステップＳ２６の処理が行われる。
【００７０】
そして、制御部２２は、チューナ２１においてスキャンが一巡したか否かを調べる（ステップＳ２６）。スキャンが一巡していない場合には（ステップＳ２６にてＮＯ）、次にスキャンすべきチャンネルに移行する（ステップＳ２７）。そして、ステップＳ２１の処理に戻る。
【００７１】
一方、スキャンが一巡した場合には（ステップＳ２６にてＹＥＳ）、制御部２２は、チャンネルメモリ２６に記憶されている全てのチャンネルに対して二回目のスキャンを行ったか否かを調べる（ステップＳ２８）。ここで、チャンネルメモリ２６に記憶されているチャンネルは、一回目のスキャン時にＣＭ放送中だったチャンネルである。
【００７２】
チャンネルメモリ２６に記憶されている全てのチャンネルに対して二回目のスキャンを行った場合には（ステップＳ２８にてＹＥＳ）、チャンネルスキャンモードを終了する。一方、チャンネルメモリ２６に記憶されている全てのチャンネルに対して二回目のスキャンを行っていない場合には（ステップＳ２８にてＮＯ）、制御部２２は、チャンネルメモリ２６に記憶されている次にスキャンすべきチャンネルに移行する（ステップＳ２９）。そして、ステップＳ２１の処理に戻る。ここで、チャンネルメモリ２６に記憶されているチャンネルをスキャンする順番は、チャンネルスキャン制御信号により設定された所定の順番に従っている。
【００７３】
次に、第２の実施形態によるチャンネルスキャンの具体例を図面に基づいて説明する。図６は、第２の実施形態によるチャンネルスキャンの例を示す図である。図６において、本実施形態によるチャンネルスキャンモードでは、Ｃｈ＿Ａ、Ｃｈ＿Ｂ、Ｃｈ＿Ｃ、Ｃｈ＿Ｄ、Ｃｈ＿Ｅの順番でチャンネルがスキャンされる。また、チャンネルスキャンモードを開始したときにユーザに視聴されているチャンネルはＣｈ＿Ｅである。
【００７４】
チャンネルスキャンモードが開始されると、Ｃｈ＿Ａのスキャンが行われる。制御部２２は、チューナ２１対してＣｈ＿Ａを選局するための選局制御信号を出力し、チューナ２１では、入力した選局制御信号に基づいてＣｈ＿Ａの選局を行う。そして、Ｃｈ＿Ｅの放送内容を示す音声及び映像がスピーカ１０及び画像表示部１３に出力されている状態から、Ｃｈ＿Ａの放送内容を示す音声及び映像がスピーカ１０及び画像表示部１３に出力されるように切り替わる。ここで、Ｃｈ＿Ａでは番組の本編を放送中であるから、Ｃｈ＿Ａの放送内容を示す音声及び映像がスピーカ１０及び画像表示部１３に第１の所定時間（例えば１０秒）に渡って継続して出力される。
【００７５】
そして、Ｃｈ＿Ａの番組が第１の所定時間に渡って放送された後に、Ｃｈ＿Ｂのスキャンが行われる。制御部２２は、チューナ２１対してＣｈ＿Ｂを選局するための選局制御信号を出力し、チューナ２１では、入力した選局制御信号に基づいてＣｈ＿Ｂの選局を行う。そして、Ｃｈ＿Ｂの放送内容を示す音声及び映像がスピーカ１０及び画像表示部１３に出力され、この状態でＣＭが放送されているか否かを検出する。Ｃｈ＿ＢではＣＭ放送中であるから、Ｃｈ＿Ｂを示す識別情報をチャンネルメモリ２６に記憶して、Ｃｈ＿Ｃのスキャンを行う。
【００７６】
Ｃｈ＿Ｃのスキャンが行われると、制御部２２は、チューナ２１対してＣｈ＿Ｃを選局するための選局制御信号を出力し、チューナ２１では、入力した選局制御信号に基づいてＣｈ＿Ｃの選局を行う。そして、Ｃｈ＿Ｃの放送内容を示す音声及び映像がスピーカ１０及び画像表示部１３に出力され、この状態でＣＭが放送されているか否かを検出する。Ｃｈ＿Ｂと同様にＣｈ＿ＣでもＣＭ放送中であるから、Ｃｈ＿Ｃを示す識別情報をチャンネルメモリ２６に記憶して、Ｃｈ＿Ｄのスキャンを行う。
【００７７】
ここで、番組の本編を放送中であるＣｈ＿Ａの放送内容を示す音声及び映像が出力される第１の所定時間は、ＣＭ放送中であるＣｈ＿Ｂの放送内容を示す音声及び映像が出力されてからＣｈ＿Ｃの放送内容を示す音声及び映像がスピーカ１０及び画像表示部１３に出力されるまでの時間よりも長く設定されている。以下同様に、番組の本編を放送中であるチャンネルの放送内容を示す音声及び映像が出力される第１の所定時間は、ＣＭ放送中であるチャンネルの放送内容を示す音声及び映像が出力される時間よりも長く設定されている。
【００７８】
Ｃｈ＿Ｄのスキャンが行われると、制御部２２は、チューナ２１対してＣｈ＿Ｄを選局するための選局制御信号を出力し、チューナ２１では、入力した選局制御信号に基づいてＣｈ＿Ｄの選局を行う。そして、Ｃｈ＿Ｄの放送内容を示す音声及び映像がスピーカ１０及び画像表示部１３に出力され、この状態でＣＭが放送されているか否かを検出する。Ｃｈ＿Ｄでは番組の本編を放送中であるから、Ｃｈ＿Ｄの放送内容を示す音声及び映像がスピーカ１０及び画像表示部１３に第１の所定時間（例えば１０秒）に渡って継続して出力される。
【００７９】
そして、Ｃｈ＿Ｄの番組が第１の所定時間に渡って放送された後に、Ｃｈ＿Ｅのスキャンが行われる。制御部２２は、チューナ２１対してＣｈ＿Ｅを選局するための選局制御信号を出力し、チューナ２１では、入力した選局制御信号に基づいてＣｈ＿Ｅの選局を行う。そして、Ｃｈ＿Ｅの放送内容を示す音声及び映像がスピーカ１０及び画像表示部１３に出力され、この状態でＣＭが放送されているか否かを検出する。Ｃｈ＿Ｅでは番組の本編を放送中であるから、Ｃｈ＿Ｅの放送内容を示す音声及び映像がスピーカ１０及び画像表示部１３に第１の所定時間に渡って継続して出力される。
【００８０】
Ｃｈ＿Ｅまでスキャンを行うことで、スキャンすべきチャンネルは一巡したことになるので、次に、チャンネルメモリ２６に記憶されている情報に基づいて二回目にスキャンすべきチャンネルがあるか否かを調べる。チャンネルメモリ２６にはＣｈ＿Ｂ及びＣｈ＿Ｃを示す識別情報が記憶されているので、その識別情報に基づいてＣｈ＿ＢとＣｈ＿Ｃのスキャンを再度行う。まず、制御部２２は、チューナ２１を使用してＣｈ＿Ｂのスキャンを行う。制御部２２は、チューナ２１対してＣｈ＿Ｂを選局するための選局制御信号を出力し、チューナ２１では、入力した選局制御信号に基づいてＣｈ＿Ｂの選局を行う。そして、Ｃｈ＿Ｂの放送内容を示す音声及び映像がスピーカ１０及び画像表示部１３に出力される。この状態でＣＭが放送されているか否かを検出する。Ｃｈ＿Ｂでは番組の本編を放送中であるから、Ｃｈ＿Ｂの放送内容を示す音声及び映像がスピーカ１０及び画像表示部１３に第１の所定時間に渡って継続して出力される。
【００８１】
次に、Ｃｈ＿Ｂの番組が第１の所定時間に渡って放送された後に、Ｃｈ＿Ｃのスキャンが行われる。制御部２２は、チューナ２１対してＣｈ＿Ｃを選局するための選局制御信号を出力し、チューナ２１では、入力した選局制御信号に基づいてＣｈ＿Ｃの選局を行う。そして、Ｃｈ＿Ｃの放送内容を示す音声及び映像がスピーカ１０及び画像表示部１３に出力され、この状態でＣＭが放送されているか否かを検出する。Ｃｈ＿Ｃでは番組の本編を放送中であるから、Ｃｈ＿Ｃの放送内容を示す音声及び映像がスピーカ１０及び画像表示部１３に第１の所定時間に渡って継続して出力される。
【００８２】
ここで、チャンネルメモリ２６に記憶されている全てのチャンネルに対して二回目のスキャンを行った場合には、チャンネルスキャンモードを終了する。
【００８３】
以上詳しく説明したように、第２の実施形態によれば、チャンネルスキャンを行う際に、スキャン先のチャンネルがＣＭ放送中である場合、そのチャンネルを選局した時点で次にスキャンすべきチャンネルのスキャンを行い、ＣＭ放送中であったチャンネルは後のタイミングで再度スキャンを行うので、ＣＭ放送中だったチャンネルはチャンネルスキャンすべきチャンネルが全てスキャンされた後に自動的に再度スキャンを行うことができる。従って、ユーザは、チャンネルスキャンの操作を再度行ったり、チャンネルスキャンが終了した後にＣＭ放送中だったチャンネルを選局して再度確認したりすることなしに、各チャンネルでどのような番組が放送されているかを確認することができる。
【００８４】
また、チャンネルスキャンを行った際に、本編の映像や音声が出力されるので、ユーザに対して各チャンネルでどのような番組が放送されているかを直感的に判断させることができる。また、チャンネルスキャンを行う際に、スキャン先のチャンネルがＣＭ放送中である場合、そのチャンネルを選局してから、次にスキャンすべきチャンネルのスキャンをすぐに行うので、チャンネルスキャンの際に、ＣＭ放送中のチャンネルの放送内容を示す音声及び映像が出力される時間を番組の本編を放送中のチャンネルの放送内容を示す音声及び映像が出力される時間よりも短くすることができる。従って、ユーザとって煩わしい情報を出来るだけ出力しないようにすることができる。また、チャンネルスキャンをバックグランドで行うチューナ等の部品が不要となる。
【００８５】
なお、第１の実施形態及び第２の実施形態において、ディジタルテレビ放送を受信する受信機としているが、これに限定されない。例えば、アナログテレビ放送受信機やラジオ放送受信機等でも良い。
【００８６】
また、第１の実施形態及び第２の実施形態において、ＣＭ検出部１６、２５にて番組データに付加されているＣＭフラグ等により、スキャンした先のチャンネルがＣＭ放送中であるか否かを調べているが、これに限定されない。例えば、番組の本編の音声が二重音声やモノラルであるのに対してＣＭの音声がステレオであることを利用したり、ＣＭの音声が番組の本編の音声よりも大きいことを利用したり、ＣＭと番組の本編との輝度の差異を利用したりすることで検出しても良い。
【００８７】
また、第１の実施形態及び第２の実施形態において、図３及び図６に示すように、Ｃｈ＿Ａ〜Ｃｈ＿Ｅまでの複数のチャンネルのスキャンが一巡してからＣＭ放送中であったチャンネル（Ｃｈ＿Ｂ及びＣｈ＿Ｃ）を再度スキャンするようにしているが、これに限定されない。例えば、制御部が本編を放送中のチャンネルを検出したときに、それまでにスキャンしてチャンネルメモリに記憶されているチャンネル（ＣＭ放送中だったチャンネル）をスキャンするようにしても良い。このようにすると、図７及び図８に示すように、Ｃｈ＿Ｄの放送内容を示す音声及び映像を出力した後に、Ｃｈ＿Ｂ及びＣｈ＿Ｃのスキャンを再度行い、Ｃｈ＿Ｂ及びＣｈ＿Ｃの放送内容を示す音声及び映像を出力してから、その後にＣｈ＿Ｅをスキャンする。これにより、チャンネルスキャンによって出力されるチャンネルの順番を出来るだけ変更しないようにすることができる。
【００８８】
また、第１の実施形態及び第２の実施形態において、チャンネルスキャンを行う際に、昇順や降順に全てのチャンネルを選局するようにしても良い。また、ユーザが登録したチャンネルのみを選局するようにしても良いし、受信状態の良いチャンネルから順番に選局するようにしても良い。また、ユーザが選局する頻度に応じて選局する順番を決めても良いし、ランダムな順番としても良い。
【００８９】
また、第１の実施形態及び第２の実施形態において、チャンネルスキャンを行う再に、チャンネルメモリに記憶されている全てのチャンネルに対して二回目のスキャンを行うようにしているが、これに限定されない。例えば、チャンネルメモリに記憶されている各チャンネルに対して二回目のスキャンを行う際に、ＣＭ放送中のチャンネルがあった時点でチャンネルスキャンモードを終了するようにしても良い。
【００９０】
その他、上記第１の実施形態及び第２の実施形態は、本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【産業上の利用可能性】
【００９１】
本発明は、各チャンネルで放送されている番組の内容を確認するためのチャンネルスキャンを行う機能を有する放送受信機に有用である。
【図面の簡単な説明】
【００９２】
【図１】第１の実施形態による放送受信機の構成例を示すブロック図である。
【図２】第１の実施形態による放送受信機の動作及びチャンネルスキャン方法を示すフローチャートである。
【図３】第１の実施形態によるチャンネルスキャンの例を示す図である。
【図４】第２の実施形態による放送受信機の構成例を示すブロック図である。
【図５】第２の実施形態による放送受信機の動作及びチャンネルスキャン方法を示すフローチャートである。
【図６】第２の実施形態によるチャンネルスキャンの例を示す図である。
【図７】第１の実施形態によるチャンネルスキャンの他の例を示す図である。
【図８】第２の実施形態によるチャンネルスキャンの他の例を示す図である。
【符号の説明】
【００９３】
１    受信アンテナ
２    第１のチューナ
３    第２のチューナ
４    操作部
５，２２    制御部
１６，２５    ＣＭ検出部
１７，２６    チャンネルメモリ
２１    チューナ
【図１】
2005277790.tif 000003
【図２】
2005277790.tif 000004
【図３】
2005277790.tif 000005
【図４】
2005277790.tif 000006
【図５】
2005277790.tif 000007
【図６】
2005277790.tif 000008
【図７】
2005277790.tif 000009
【図８】
2005277790.tif 000010